(57)【特許請求の範囲】
【請求項１】
画像を投影面に投影する投影手段を有する投影装置であって、
第１の方向に対応する操作と、第２の方向に対応する操作とを受付ける受付手段と、
前記投影装置と他の投影装置を含む複数の投影装置がマルチ投影を行う場合、前記受付手段が前記第１の方向に対応する操作を受付けたことに応じてテスト画像を選択し、前記受付手段が前記第２の方向に対応する操作を受付けたことに応じて前記複数の投影装置のうちから対象投影装置を選択する選択手段と、
前記他の投影装置と通信する通信手段と、を備え、
前記選択手段によって前記対象投影装置として前記他の投影装置が選択された場合、前記通信手段は、前記他の投影装置が前記選択されたテスト画像の少なくとも一部を投影するための情報を出力し、
前記選択手段によって前記対象投影装置として前記投影装置が選択された場合、前記投影手段は、前記選択されたテスト画像の少なくとも一部を投影することを特徴とする投影装置。
【請求項２】
前記複数の投影装置がマルチ投影を行う場合、前記選択手段は、前記テスト画像と前記対象投影装置を選択するための選択画像を投影するように前記投影手段を制御することを特徴とする請求項１に記載の投影装置。
【請求項３】
前記複数の投影装置がマルチ投影を行う場合、前記選択手段は、前記テスト画像のみを選択するための選択画像を投影するように前記投影手段を制御することを特徴とする請求項１または２に記載の投影装置。
【請求項４】
ユーザ操作に応じて前記投影装置が前記マルチ投影を行うか否かを設定する設定手段をさらに備えることを特徴とする請求項１乃至３のいずれか１項に記載の投影装置。
【請求項５】
前記選択手段によって前記対象投影装置として前記複数の投影装置の全てが選択された場合、前記通信手段は、前記他の投影装置が前記テスト画像全体を投影するための前記情報を前記他の投影装置に出力し、且つ、前記投影手段が前記テスト画像全体を投影することを特徴とする請求項１乃至４のいずれか１項に記載の投影装置。
【請求項６】
前記選択手段によって前記対象投影装置として前記複数の投影装置の全てが選択された場合、前記複数の投影装置で前記テスト画像を拡大した画像を投影するように、前記通信手段は、前記他の投影装置が投影する前記テスト画像の一部を示す情報を前記他の投影装置に出力し、且つ、前記投影手段が前記投影装置に対応する前記テスト画像の一部を投影することを特徴とする請求項１乃至４のいずれか１項に記載の投影装置。
【請求項７】
前記選択手段が選択可能なテスト画像は、縞状のグラデーションパターンを含む画像を含むことを特徴とする請求項１乃至６のいずれか１項に記載の投影装置。
【請求項８】
前記選択手段が選択可能なテスト画像は、格子パターンを含む画像を含むことを特徴とする請求項１乃至７のいずれか１項に記載の投影装置。
【請求項９】
前記選択手段が選択可能なテスト画像は、市松模様を含む画像を含むことを特徴とする請求項１乃至８のいずれか１項に記載の投影装置。
【請求項１０】
前記複数の投影装置がマルチ投影を行う場合における各投影装置の担当領域と、各投影装置の識別情報を含むマルチ投影情報とを保持する保持手段をさらに備え、
前記複数の投影装置がマルチ投影を行う場合、前記通信手段は、前記マルチ投影情報に基づき、前記選択手段によって前記対象投影装置として選択された投影装置に対して前記選択されたテスト画像を出力するように前記情報を出力することを特徴とする請求項１乃至９のいずれか１項に記載の投影装置。
【請求項１１】
前記マルチ投影情報には、マルチ投影面サイズ、及び前記マルチ投影面を構成する投影装置の数がさらに含まれることを特徴とする請求項１０に記載の投影装置。
【請求項１２】
画像を投影面に投影する投影手段を有する投影装置の制御方法であって、
第１の方向に対応する操作と、第２の方向に対応する操作を受付ける受付工程と、
前記投影装置と他の投影装置を含む複数の投影装置がマルチ投影を行う場合、前記受付工程において前記第１の方向に対応する操作が受付けられたことに応じてテスト画像を選択し、前記受付工程において前記第２の方向に対応する操作が受付けられたことに応じて前記複数の投影装置のうちから対象投影装置を選択する選択工程と、
前記投影手段を制御する制御工程と、
前記投影装置が前記他の投影装置と通信する通信工程と、を備え、
前記選択工程において前記対象投影装置として前記他の投影装置が選択された場合、前記通信工程では、前記他の投影装置が前記選択されたテスト画像の少なくとも一部を投影するための情報が出力され、
前記選択工程において前記対象投影装置として前記投影装置が選択された場合、前記制御工程では、前記選択されたテスト画像の少なくとも一部が投影されることを特徴とする投影装置の制御方法。
【発明の詳細な説明】
【技術分野】
【０００１】
本発明は、プロジェクタ等の投影装置に関し、特に、複数の投影装置の出力を重ね合わせて一つの投影面を作成するマルチ投影技術の改良に関する。
【背景技術】
【０００２】
マルチ投影は、複数のプロジェクタがそれぞれ出力した投影面の端を重畳させて一つの投影面（マルチ投影面）を作成する（特許文献１）。マルチ投影面を作成する際には、複数のプロジェクタからテストパターンを出力し、重ね合わせて投影する領域（エッジブレンディング領域）が綺麗に重なるように調整することが多い。エッジブレンディング領域では、重ね合わせた領域の輝度値が一台のプロジェクタが出力する輝度値と略同一となるように、明るさを減衰させる処理が一般的に行われている。また、マルチ投影面を形成する各々のプロジェクタ間で明るさや色味が略同一になるように調整するために、テストパターンを用いることも広く行われている。
【先行技術文献】
【特許文献】
【０００３】
【特許文献１】特開２０１２−１９４４２号公報
【発明の概要】
【発明が解決しようとする課題】
【０００４】
しかし、テストパターンは、単一のプロジェクタに対してフォーカス調整や色調整を目的として用いるため、マルチ投影面を形成する場合は、目的に応じたテストパターンをマルチ投影面を形成する複数のプロジェクタのそれぞれについて操作する必要がある。
【０００５】
上記特許文献１では、複数のプロジェクタによるスタック投影時に、メインのプロジェクタがサブのプロジェクタと通信して、ＯＳＤ（オンスクリーンディスプレイ）を実施するプロジェクタを限定することで各プロジェクタのＯＳＤが重なり合うのを回避している。しかし、上記特許文献１では、複数のプロジェクタでテストパターンを連動させる処理については言及されていない。
【０００６】
そこで、本発明は、単一の投影装置の操作によって、マルチ投影面を形成する全ての投影装置に対してマルチ投影面を作成する際に用いるテストパターン画像の表示を指示する技術を提供することを目的とする。
【課題を解決するための手段】
【０００７】
上記目的を達成するために、本発明は、画像を投影面に投影する投影手段を有する投影装置であって、第１の方向に対応する操作と、第２の方向に対応する操作とを受付ける受付手段と、前記投影装置と他の投影装置を含む複数の投影装置がマルチ投影を行う場合、前記受付手段が前記第１の方向に対応する操作を受付けたことに応じてテスト画像を選択し、前記受付手段が前記第２の方向に対応する操作を受付けたことに応じて前記複数の投影装置のうちから対象投影装置を選択する選択手段と、前記他の投影装置と通信する通信手段と、を備え、前記選択手段によって前記対象投影装置として前記他の投影装置が選択された場合、前記通信手段は、前記他の投影装置が前記選択されたテスト画像の少なくとも一部を投影するための情報を出力し、前記選択手段によって前記対象投影装置として前記投影装置が選択された場合、前記投影手段は、前記選択されたテスト画像の少なくとも一部を投影することを特徴とする。
【発明の効果】
【０００８】
本発明によれば、単一の投影装置の操作によって、マルチ投影面を形成する全ての投影装置に対してマルチ投影面を作成する際に用いるテストパターン画像の表示を指示することができる。
【図面の簡単な説明】
【０００９】
【図１】本発明の投影装置の実施形態の一例であるプロジェクタを含むマルチ投影システムの概略を示す斜視図である。
【図２】（ａ）はプロジェクタの構成を示すブロック図、（ｂ）は操作部の詳細を示す図である。
【図３】ユーザ操作によって操作部を介してテストパターンの表示が指示された場合のプロジェクタの動作を説明するフローチャート図である。
【図４】（ａ）はマルチ投影面の座標値を説明する図、（ｂ）はマルチ投影面を形成する情報を示す図である。
【図５】（ａ）は通常時のテストパターン選択画像について説明する斜視図、（ｂ）は表示するテストパターンの種別の切り替え動作を説明する図である。
【図６】マルチ投影時のテストパターン選択画像とプロジェクタの投影面を示す斜視図である。
【図７】マルチ投影時における操作部を介したテストパターン選択画像の切り替え動作を説明する図である。
【発明を実施するための形態】
【００１０】
以下、図面を参照して、本発明の実施形態の一例を説明する。
【００１１】
図１は、本発明の投影装置の実施形態の一例であるプロジェクタを含むマルチ投影システムの概略を示す斜視図である。
【００１２】
図１に示すように、マルチ投影システムは、４台のプロジェクタ１００，１００ａ，１００ｂ，１００ｃのそれぞれの投影面１５０，１５０ａ，１５０ｂ，１５０ｃの一部を重畳させて、上下左右に並べて１つのマルチ投影面を作成する。
【００１３】
図２（ａ）はプロジェクタ１００の構成を示すブロック図、図２（ｂ）は操作部１１２の詳細を示す図である。なお、プロジェクタ１００ａ，１００ｂ，１００ｃについては、プロジェクタ１００と基本的構成が同様であるため、その説明を省略する。
【００１４】
図２に示すように、プロジェクタ１００は、投影光学系１０１、表示パネル１０２、光源１０３、光源制御部１０４、表示駆動部１０５、光学系制御部１０６、及び接続部１０７を備える。また、プロジェクタ１００は、制御部１０８、画像処理部１０９、ＲＯＭ１１０、ＲＡＭ１１１、操作部１１２、及び通信部１１３を備える。本実施形態のプロジェクタ１００は、表示すべき画像に応じて表示パネル１０２の光の透過率を制御して、表示パネル１０２を透過した光源１０３からの光をスクリーンに投影することで、画像をユーザに提示する。
【００１５】
投影光学系１０１は、出力画像をスクリーンに投影するためのものであり、複数のレンズとレンズ駆動用のアクチュエータとを有し、レンズをアクチュエータにより駆動することで、投影画像の拡大、縮小、焦点調整等を行う。表示パネル１０２は、ＬＣＤパネル等で構成され、光源１０３から出射されて、ミラー（不図示）で分離された各色の光（赤色（Ｒ）、緑色（Ｇ）、青色（Ｂ））から各色専用の画像を生成する。
【００１６】
光源制御部１０４は、制御部１０８の指示に基づいて、光源１０３の光量の調整、出射のオン／オフ制御等を行う。表示駆動部１０５は、入力される映像信号に基づきＲＧＢ各色を再現するための透過率を調整する。光学系制御部１０６は、制御部１０８の指示に基づいて、ズーム率、シフト量、フォーカス等の様々な調整を行う。
【００１７】
接続部１０７は、映像出力装置等と接続するためのインタフェースであり、映像信号、音声信号、各種コントロール信号の送受信に使用される。映像出力装置としては、映像信号を出力できるものであれば、パーソナルコンピュータ、カメラ、携帯電話、スマートフォン、ハードディスクレコーダ、ゲーム機など、どのようなものであってもよい。
【００１８】
接続部１０７は、例えば、コンポジット端子、Ｓ映像端子、Ｄ端子、コンポーネント端子、アナログＲＧＢ端子、ＤＶＩ−Ｉ端子、ＤＶＩ−Ｄ端子、ＨＤＭＩ（登録商標）端子、ＤｉｓｐｌａｙＰｏｒｔ端子等を含む。また、接続部１０７は、アナログ映像信号を受信した場合には、受信したアナログ映像信号をデジタル映像信号に変換する。
【００１９】
制御部１０８は、ＲＯＭ１１０に格納されているプログラムに基づいて各部への指示、プロジェクタ１００内部の状態管理、投影モード管理等を行う。画像処理部１０９は、例えば画像処理用のマイクロプロセッサから構成され、入力画像の解像度変換処理、フレームレート、画像の形状変形、色調変換、エッジブレンド処理、メニュー等のＯＳＤオーバーラップ処理といった入力画像に対する各種変更処理を行う。
【００２０】
また、画像処理部１０９は、フレーム間引き処理、フレーム補間処理、歪曲収差補正処理、キーストーン補正処理等の処理を行うことが可能である。なお、画像処理部１０９は、専用のマイクロプロセッサである必要はなく、例えば、ＲＯＭ１１０に記憶されたプログラムによって、制御部１０８が画像処理部１０９と同様の処理を実行してもよい。
【００２１】
ＲＯＭ１１０は、プロジェクタ１００内部を制御するためのプログラムや常に保持しておくべきテーブルデータ、テストパターン画像の保存等に使用される。ＲＡＭ１１１は、接続部１０７より入力される画像データや、画像処理部１０９にて画像処理を行なう際の画像データの一時保存等に使用する。
【００２２】
操作部１１２は、各種操作釦等で構成され、プロジェクタ１００の機能制御やメニュー操作を行なうための操作インタフェースである。操作部１１２には、図２（ｂ）に示すように、電源釦１１４、メニュー釦１１５、決定ボタン１１６、上釦１１７、下釦１１８、左釦１１９、右釦１２０等が設けられている。通信部１１３は、有線ＬＡＮ、無線ＬＡＮなどの通信ネットワークを介して外部機器と通信を行う。通信部１１３を介して、制御コマンド（各種画像処理、入力切り替え指示、電源制御指示、各種設定値の取得、変更）の送受信が可能である。
【００２３】
次に、プロジェクタ１００の基本的な動作について説明する。操作部１１２又はリモコン（不図示）でユーザによる電源オンの指示を受け付けると、制御部１０８は、電源部からプロジェクタ１００の各部へ電源を供給するよう指示する。接続部１０７は、画像が映像出力装置等から入力されているか否かを検出し、入力されていない場合は、画像入力を検出するまで待機し、入力された場合は、投影処理を実行する。
【００２４】
ここで、投影処理として、接続部１０７は、映像出力装置から入力された画像信号を画像処理部１０９に送信する。また、操作部１１２によって指定されたテストパターン画像を表示する場合には、制御部１０８は、ＲＯＭ１１０からテストパターン画像を読み出し、これを画像処理部１０９に送信する。
【００２５】
画像処理部１０９は、受信した画像信号にフレーム数、画素数、画像形状などの変更処理を施して、表示駆動部１０５に送信する。表示駆動部１０５は、入力された画像に基づいて、ＲＧＢ各色の成分の階調レベルに応じた透過率となるように、表示パネル１０２の透過率を制御する。そして、光源制御部１０４は、光源１０３からの光の出力を制御し、光源１０３から出力された光は、赤色（Ｒ）、緑色（Ｇ）、青色（Ｂ）に分離され、それぞれの光が表示パネル１０２に供給される。
【００２６】
表示パネル１０２に供給された各色の光は、各色の液晶パネルの画素毎に透過する光量が制限される。そして、表示パネル１０２を透過した赤色（Ｒ）、緑色（Ｇ）、青色（Ｂ）それぞれの光は、プリズム（不図示）を通して再び合成され、投影光学系１０１を介して投影される。このように、本実施形態のプロジェクタ１００は、外部の映像出力装置等から出力された画像、またはテストパターン画像の投影を行うことができる。
【００２７】
次に、図３乃至図７を参照して、４台のプロジェクタ１００，１００ａ〜１００ｃのそれぞれの投影面１５０，１５０ａ〜１５０ｃの一部を重畳させた状態でテストパターン画像を選択する際の動作について説明する。なお、各プロジェクタ１００，１００ａ〜１００ｃは、相互に通信可能な状態とする。また、プロジェクタ１００、プロジェクタ１００ａ、プロジェクタ１００ｂ、プロジェクタ１００ｃのＩＰアドレスは、それぞれ192.168.254.1、192.168.254.2、192.168.254.3、192.168.254.4とする。
【００２８】
図３は、ユーザ操作によって操作部１１２を介してテストパターンの表示が指示された場合のプロジェクタ１００の動作を説明するフローチャート図である。図３の処理は、ＲＯＭ１１０等の記憶部に記憶されたプログラムがＲＡＭ１１１に展開されて制御部１０８のＣＰＵ等により実行される。なお、他のプロジェクタ１００ａ〜１００ｃにおいても同様の動作が可能である。
【００２９】
図３において、ステップＳ３００では、制御部１０８は、マルチ投影中であるか否かを判定し、マルチ投影中であれば、ステップＳ３０４に進み、そうでなければ、ステップＳ３０１に進む。ここで、マルチ投影中か否かは、予めユーザ操作によってプロジェクタ１００のＲＡＭ１１１に設定されているものとする。プロジェクタ１００のＲＡＭ１１１には、マルチ投影情報として、「マルチ投影面サイズ」、「マルチ投影面を構成するプロジェクタ台数」、さらに、プロジェクタ毎に「担当領域」、識別情報としての「ＩＰアドレス」が格納されているものとする。
【００３０】
例えば、図４（ａ）に示す座標値、すなわち解像度１９２０×１０８０のプロジェクタ４台が、エッジブレンド幅１００画素で、３７４０×２０６０の大きさのマルチ投影面を形成している場合に、図４（ｂ）に示す情報がＲＡＭ１１１に保持されている。
【００３１】
具体的には、「マルチ投影面サイズ」として３７４０×２０６０、「マルチ投影面を形成するプロジェクタ台数」として４台、さらに、プロジェクタ４台のそれぞれに「担当領域」、「ＩＰアドレス」が設定されている。ここでは、プロジェクタ１の情報として、プロジェクタ１００のＩＰアドレス、投影面１５０のマルチ投影面における担当領域が設定されている。プロジェクタ２の情報として、プロジェクタ１００ａのＩＰアドレス、投影面１５０ａのマルチ投影面における担当領域が設定されている。
【００３２】
プロジェクタ３の情報として、プロジェクタ１００ｂのＩＰアドレス、投影面１５０ｂのマルチ投影面における担当領域が設定されている。プロジェクタ４の情報として、プロジェクタ１００ｃのＩＰアドレス、投影面１５０ｃのマルチ投影面における担当領域が設定されている。
【００３３】
なお、例えばマルチ投影面を形成する複数のプロジェクタのいずれか一台において、図４（ｂ）に示す各種情報の設定をプロジェクタ投影面のＯＳＤメニューを参照しつつ、操作部１１２を介して入力してもよい。この場合、入力後に、当該設定値を各プロジェクタ間で通信部１１３を介して同期させる。
【００３４】
ステップＳ３０１では、制御部１０８は、通常時のテストパターン選択画像（ＵＩ）を生成して、ＯＳＤメニューとして投影表示し、ステップＳ３０２へ進む。ステップＳ３０２では、制御部１０８は、操作部１１２からの入力によって、テストパターン種別の選択操作を待ち受ける。そして、制御部１０８は、テストパターン種別が選択されると、ステップＳ３０３に進み、選択がキャンセルされると、ステップＳ３０１で実施したテストパターン選択画像の表示を停止して、当該テストパターンの選択シーケンスを終了する。
【００３５】
ステップＳ３０３では、制御部１０８は、ステップＳ３０２で選択した種別のテストパターンをＲＯＭ１１０から読み出して画像処理部１０９に転送する。そして、制御部１０８は、テストパターンの投影表示を行い、さらに、テストパターン選択画像の表示を停止して、当該テストパターンの選択シーケンスを終了する。
【００３６】
ここで、図５を参照して、ステップＳ３０１での通常時のテストパターン選択画像について説明する。ステップＳ３０１では、プロジェクタ１００から図５（ａ）に示す通常時のテストパターン選択画像１６０が投影面に出力される。通常時のテストパターン選択画像１６０は、操作部１１２の上釦１１７又は下釦１１８を押下することで、図５（ｂ）に示すように、表示するテストパターンの種別を切り替えることができる。
【００３７】
また、図５（ａ）に示すように、テストパターン選択画像１６０で選択中のテストパターン１５０を即座に投影面に出力表示してもよい。ユーザは表示したいテストパターン種別を操作部１１２の決定ボタン１１６を押下することで確定させることができ、これによって、通常時のテストパターン選択画像１６０は消え、選択したテストパターンのみがプロジェクタ１００から出力されることになる。
【００３８】
一方、ステップＳ３０４では、制御部１０８は、マルチ投影時のテストパターン選択画像を生成して、ＯＳＤメニューとして投影表示し、ステップＳ３０５に進む。ステップＳ３０５では、制御部１０８は、操作部１１２からの入力によって、テストパターン種別の選択操作を待ち受ける。そして、制御部１０８は、テストパターンの種別が選択されると、ステップＳ３０６に進み、選択がキャンセルされると、ステップＳ３０４で実施したテストパターン選択画像の表示を停止して、当該テストパターンの選択シーケンスを終了する。
【００３９】
ステップＳ３０６では、制御部１０８は、操作部１１２からの入力によって、テストパターンの表示対象となるプロジェクタの選択を待ち受ける。そして、制御部１０８は、選択された表示対象が自プロジェクタであれば、ステップＳ３０３に進み、前述した処理と同様に、ステップＳ３０５で選択した種別のテストパターンをＲＯＭ１１０から読み出して画像処理部１０９に転送する。そして、制御部１０８は、テストパターンの投影表示を行い、さらに、テストパターン選択画像の表示を停止して、当該テストパターンの選択シーケンスを終了する。また、制御部１０８は、選択された表示対象が別プロジェクタであれば、ステップＳ３０７に進み、選択された表示対象が全てのプロジェクタであれば、ステップＳ３０８に進む。
【００４０】
ステップＳ３０７では、制御部１０８は、ステップＳ３０６で選択した表示対象の別プロジェクタに対して、通信部１１３を介してステップＳ３０５で選択したテストパターンの種別が示すテストパターンの表示依頼を実施する。さらに、制御部１０８は、テストパターン選択画像の表示を停止して、当該テストパターンの選択シーケンスを終了する。
【００４１】
ステップＳ３０８では、制御部１０８は、ＲＡＭ１１１からマルチ投影情報を取得し、マルチ投影を形成する全てのプロジェクタに対してステップＳ３０５で選択したテストパターン種別が示すテストパターン表示依頼を実施する。さらに、制御部１０８は、テストパターン選択画像の表示を停止して、当該テストパターンの選択シーケンスを終了する。
【００４２】
なお、不図示は省略するが、ステップＳ３０７又はステップＳ３０８で前述したテストパターン表示依頼を自身の通信部１１３を介して受信したプロジェクタは、当該依頼に含まれるテストパターン種別を自身のＲＯＭ１１０から読み出す。そして、これを自身の画像処理部１０９に転送することでテストパターンの投影表示を行う。
【００４３】
また、テストパターン表示依頼には、テストパターン種別を用いたが、プロジェクタ１００がテストパターン種別をＲＯＭ１１０から読み出した結果のビットマップデータをテストパターン表示依頼に含めてもよい。このようにすると、テストパターン表示依頼を行うプロジェクタとテストパターン表示依頼を受け取るプロジェクタとの間でＲＯＭ１１０に格納するテストパターン種別を共有する必要がなくなる。
【００４４】
次に、図６及び図７を参照して、マルチ投影時のテストパターン選択画像について説明する。図６は、図３のステップＳ３０４のマルチ投影時にプロジェクタ１００が出力するテストパターン選択画像１７０を示す図である。
【００４５】
マルチ投影時のテストパターン選択画像１７０は、操作部１１２の上釦１１７、下釦１１８を押下することによって、図７に示すように、表示するテストパターン種別を切り替えることができる。また、左釦１１９、右釦１２０を押下することによって、図７に示すように、テストパターン表示先を切り替えることができる。
【００４６】
例えば図７（ａ）の列は、表示対象としてマルチ投影面の左上を担当しているプロジェクタを選択したことを意味し、図６のプロジェクタ１００自身がテストパターンの表示先となる。つまり、ユーザがマルチ投影時のテストパターン選択画像において、表示対象として図７（ａ）の列を選択した場合は、ステップＳ３０６の判定において、表示対象が自プロジェクタであると判定されるために、ステップＳ３０３に進むことになる。この場合は、結果として、図６（ａ）に示すように、プロジェクタ１００の投影面１５０にテストパターンが表示される。
【００４７】
図７（ｂ）の列は、表示対象としてマルチ投影面の右上を担当するプロジェクタを選択したことを意味し、図６のプロジェクタ１００ａがテストパターンの表示先となる。つまり、ユーザがマルチ投影時のテストパターン選択画像において表示対象として図７（ｂ）の列を選択した場合は、ステップＳ３０６において、表示対象が他プロジェクタであると判定されるため、ステップＳ３０７に進むこととなる。この場合は、結果として、図６（ｂ）に示すように、プロジェクタ１００ａの投影面１５０ａにテストパターンが表示される。なお、図７（ｃ）の列、図７（ｄ）の列を選択した場合は、図７（ｂ）の場合と同様に、テストパターンの表示先がそれぞれ、プロジェクタ１００ｂの投影面１５０ｂ、プロジェクタ１００ｃの投影面１５０ｃとなる。
【００４８】
図７（ｅ）の列は、表示対象としてすべてのプロジェクタを選択したこと、さらにすべてのプロジェクタで同一のテストパターンを表示することを意味し、図６のプロジェクタ１００、１００ａ〜１００ｃのすべてがテストパターンの表示先となる。つまり、ユーザがマルチ投影時のテストパターン選択画像において表示対象として図７（ｅ）の列を選択した場合、ステップＳ３０６において、表示対象が全プロジェクタと判定されるため、ステップＳ３０８に進むことになる。この場合は、結果として、図６（ｃ）に示すように、プロジェクタ１００、１００ａ〜１００ｃの各投影面１５０、１５０ａ〜１５０ｃに、同一のテストパターンが表示される。
【００４９】
図７（ｆ）の列は、表示対象としてすべてのプロジェクタを選択したこと、さらにすべてのプロジェクタが形成するマルチ投影面を一つの投影面とみなして、単一のテストパターンを拡大表示することを意味する。この場合、図７（ｆ）の列を選択したときと、テストパターンの表示先は同じで全プロジェクタであるために、ステップＳ３０８に進むことになる。結果として、図６（ｄ）に示すように、プロジェクタ１００、１００ａ〜１００ｃの各投影面１５０、１５０ａ〜１５０ｃ全体で一つのテストパターンが表示される。
【００５０】
なお、このような態様のテストパターン表示を実施する場合は、ステップＳ３０８において、制御部１０８は、テストパターン種別に加えて当該テストパターンをマルチ投影面サイズまで拡大表示することを示す情報を含める。そして、全てのプロジェクタにテストパターン表示依頼を実施すればよい。
【００５１】
これによって、テストパターン表示依頼を受け取ったプロジェクタは、自身の保持するマルチ投影情報の「マルチ投影面サイズ」まで、ＲＯＭ１１０から読み出したテストパターン画像を拡大する。そして、その後に、自身の「担当領域」を切り出すことで、表示すべきテストパターンを生成することが可能となる。
【００５２】
以上説明したように、本実施形態では、単一のプロジェクタの操作によって、マルチ投影面を形成する全てのプロジェクタに対してマルチ投影面を作成する際に用いるテストパターン表示を指示することができる。
【００５３】
なお、本発明は、上記実施形態に例示したものに限定されるものではなく、本発明の要旨を逸脱しない範囲において適宜変更可能である。
【００５４】
例えば、プロジェクタには、単板式や３板式などが一般に知られているが、どちらの方式であっても良い。
【００５５】
また、本発明は、以下の処理を実行することによっても実現される。即ち、本発明は、上述の実施形態の１以上の機能を実現するプログラムをネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５６】
１００  プロジェクタ
１０１  投影光学系
１０２  表示パネル
１０３  光源
１０４  光源制御部
１０５  表示駆動部
１０６  光学系制御部
１０８  制御部
１０９  画像処理部
１１０  ＲＯＭ
１１１  ＲＡＭ
【図１】
0006598633.tif 000002
【図２】
0006598633.tif 000003
【図３】
0006598633.tif 000004
【図４】
0006598633.tif 000005
【図５】
0006598633.tif 000006
【図６】
0006598633.tif 000007
【図７】
0006598633.tif 000008